(57)【要約】【課題】スイッチを入れることにより、タイマが作動すると共に、作動中を表示するライトが点灯し、設定時間内に前記スイッチを切らない場合には、設定時間経過後にスイッチ回路が開閉して、接続してある緊急通報装置に緊急通報信号を送信することができる、緊急通報装置用タイマースイッチを提供する。【解決手段】既存の緊急通報装置の外部入力端子に接続して使用されるものであり、スイッチ部のスイッチ３を押すことによって、本機が作動しライト表示部の赤色ライト２及びＬＥＤ点滅ライト４が点灯すると共に、タイマ部のタイマが作動し当初設定の入浴時間が経過すると、緊急信号発生部の回路が開閉して緊急通報信号が上記緊急通報装置に送られる一方、スイッチ部のスイッチ３を切ることによって、本機が作動を停止しライト表示部の赤色ライト２及びＬＥＤ点滅ライト４が消灯すると共にタイマ部のタイマ作動が解除される。【選択図】図２
2008077130.tif 000002
【特許請求の範囲】
【請求項１】
電源部、スイッチ部、タイマ部、ライト表示部、緊急信号発生部とからなり、既存の緊急通報装置の外部入力端子に接続して使用されるものであり、スイッチ部のスイッチを押すことによって、本機が作動しライト表示部のライトが点灯すると共に、タイマ部のタイマが作動し当初設定の入浴時間が経過すると、緊急信号発生部の回路が開閉して緊急通報信号が上記緊急通報装置に送られる一方、スイッチ部のスイッチを切ることによって、本機が作動を停止しライト表示部のライトが消灯すると共にタイマ部のタイマ作動が解除されることを特徴とする、緊急通報装置用タイマースイッチ。
【発明の詳細な説明】
【技術分野】
【０００１】
本発明は、既に設置の緊急通報装置に接続することによって、入浴時における高齢者の異常事態を緊急通報できるようにした、緊急通報装置用タイマースイッチに関するものである。
【背景技術】
【０００２】
近年、一人暮らしの高齢者宅等における緊急事態に対処するための緊急通報装置の配備が広がりつつある。この緊急通報装置による緊急通報サービスは、緊急通報サービスを行う民間事業者と緊急通報サービスの利用者が業務委託契約を結び、委託を受けた民間事業者は高齢者宅等に緊急通報装置を設置し、通報センターにおいて２４時間の警戒体制をとるものである。このような状態で、サービス利用者である高齢者等が急病やけが等により救護が必要となった場合に、上記緊急通報装置のボタンを押すと、通信回線を通して通報センターのコンピュータに通報される仕組みとなっている。また、この通報を受けた通報センターでは、対象者宅に安否の確認を行ない、その結果により通報センターから救護員が対象者宅に駆けつけて救護する等の支援を行うものである。
【０００３】
更に、上記緊急通報装置による緊急通報サービスの普及については、高齢化社会に向けた社会福祉政策とも結びつき、全国の市町村を中心に緊急通報装置給付貸与事業として全国的な広がりを見せ、緊急通報装置が設置されている高齢者宅数は年々増加傾向にある。
【０００４】
一方、高齢化社会の進展に伴う高齢者一人暮らし宅の増加によって、高齢者における家庭内事故における死亡原因も近年変化が生じている。即ち、厚生労働省の平成１３年度人口動態統計調査によれば、かつては身体能力が低下した高齢者が火災に巻き込まれて死亡するという家庭内事故の第一の原因が、近年は６５歳以上の高齢者における家庭内事故原因の第一は、浴槽での溺死・溺水であり、２６５５件となっている。この事からも、６５歳以上の高齢者における浴槽での溺死・溺水に対する対策が急務であると考えられる。
【０００５】
そこで、上記の対策を受けて、浴室での高齢者の事故を未然に防止するために、異常時に連絡するための押しボタンを設けた装置が既に開発されている。しかしながら、上記タイプの装置は入浴者が異常を感じた際に入浴者自身が当該装置のボタンを押して緊急通報を外部に発信するものであるため、入浴者が突然気絶する等した場合には当該ボタンを押せないことから、異常を伝えるための緊急通報ができないという欠点があった。
【０００６】
続いて、上記押しボタン装置の欠点を解決するものとして、特開２０００−１３２７７１号、特開２００２−１５３８５号等が開示されている。ここで、特開２０００−１３２７７１号の目的は、高齢者等の入浴時の異常を速やかに確実に検知、通報できる入浴時異常通報システム、入浴時異常検知方法を提供するものであり、当該特許に係る入浴時異常検知システムは、比較的短い設定時間の第１のタイマと、比較的長い設定時間の第２のタイマと、浴室内の動きを検知するセンサと、異常を表示する異常表示手段と、入浴開始時に前記第１のタイマ、第２のタイマをリセットし、その後前記センサにより動きを検知する毎に前記第１のタイマをリセットし、前記第１のタイマまたは前記第２のタイマのタイムアップ後に前記異常表示手段を駆動する制御手段とを備えたものであることを要旨とした。更に、特開２００２−１５３８５号の目的は、表示・表音機能を具体的に明らかにすることにより、また通報手段を内蔵することなく安価にすることにより利便性を高めた入浴者見守りシステムを提供することであり、当該発明に係る入浴者見守りシステムは、浴室内ユニットと浴室出入口ユニットを介して入浴者を見守る本体ユニットを有し、入浴者の動きに基く表示を行ったり音声を発するなどして所定の事項を知らせる表示・表音部を設け、本体ユニットを別途準備する自動通報機に接続するための移報接点を設けたことを要旨とするものであった。
【特許文献１】特開２００２−１３２７７１号
【特許文献２】特開２００２−１５３８５号
【０００７】
しかしながら、上記両発明に係る装置は、浴室内にセンサを設け、一定時間内にそのセンサが入浴者の動きを検知しない場合には、自動的に家族などに緊急連絡が成されるようになっており、この自動連絡式の装置は、構造が極めて複雑であるという欠点があった。つまり、上記装置は、入浴者が浴室から出たことを検知するためのセンサ（例えば出口センサ）を別に設けており、更に、前記家族に連絡するための別の本体装置を、居間などに設置しなければならず、装置を含むシステム全体の構成が複雑であり、且つ多大の設置費用を要すという課題があった。
【発明の開示】
【発明が解決しようとする課題】
【０００８】
上記記載のように、本発明者は上記背景技術に記載した従来技術における課題に鑑み成されたものであると共に、緊急通報装置が一人暮らしの高齢者宅等に相当程度に普及していることに着目し、設置済みの緊急通報装置に接続して使用する緊急通報装置用タイマースイッチであり、入浴時に利用者が当該緊急通報装置用タイマのスイッチを入れることにより、タイマが作動すると共に、作動中を表示するライトが点灯し、設定時間内に前記スイッチを切らない場合には、設定時間経過後にスイッチ回路が開閉して、接続してある緊急通報装置に緊急通報信号を送信することができる、緊急通報装置用タイマースイッチを提供することを目的としている。
【課題を解決するための手段】
【０００９】
上記目的を達成するため、本発明に係る緊急通報装置用タイマースイッチは、電源部、スイッチ部、タイマ部、ライト表示部、緊急信号発生部とからなり、既存の緊急通報装置の外部入力端子に接続して使用されるものであり、スイッチ部のスイッチを押すことによって、本機が作動しライト表示部のライトが点灯すると共に、タイマ部のタイマが作動し当初設定の入浴時間が経過すると、緊急信号発生部の回路が開閉して緊急通報信号が上記緊急通報装置に送られる一方、スイッチ部のスイッチを切ることによって、本機が作動を停止しライト表示部のライトが消灯すると共にタイマ部のタイマ作動が解除されることを要旨とする。
【００１０】
次に、上記のように緊急通報装置に送られた緊急通報信号は公衆回線を介して、緊急センターに緊急通報が連絡されるようになる。更に、このような緊急通報が緊急センターに送信されると、当該緊急センターでは直ちに後追して通報者へ電話をかけるようになる。 続いて、この電話により真報（本当の緊急通報）と確認された際には、救急車の手配・出動又は警備員の出動がなされ利用者の救護が行われる。
【発明の効果】
【００１１】
本発明に係る緊急通報装置用タイマースイッチは、極めて簡単な構成から成り、既存の緊急通報装置の外部入力端子に接続して使用されるものであるから、設置のための費用を廉価に抑えることができると共に、設置するための工事についても、浴室出入口の壁等の見やすい箇所に緊急通報装置用タイマー本機を取り付け、居間等に設置済みの緊急通報装置の外部入力端子までの配線を行うようにすれば、直に入浴時における高齢者の異常事態を緊急通報できるという効果がある。
【００１２】
更に、上記のように本発明に係る緊急通報装置用タイマースイッチは、当該緊急通報装置用タイマー自体としては機能性を発揮するものではないが、既存の緊急通報装置との組合わせによって、従来の緊急通報装置では得られない入浴時における高齢者の異常事態を緊急通報することができるようになるため、上記緊急通報装置用タイマーの急速な普及が期待でき、これによって高齢者における家庭内事故における死亡原因の第一位となっている浴槽での溺死・溺水を改善できるという効果もある。
【発明を実施するための最良の形態】
【００１３】
以下、図面を参照しながら、更に本発明を実施するための最良の形態について説明するものとする。
【００１４】
本発明に係る緊急通報装置用タイマースイッチは、電源部、スイッチ部、タイマ部、ライト表示部、緊急信号発生部とからなり、既存の緊急通報装置の外部入力端子に接続して使用されるものであり、スイッチ部のスイッチを押すことによって、本機が作動したことをライト表示部のライトが点灯すると共に、タイマ部のタイマが作動し当初設定の入浴時間が経過すると、緊急信号発生部の回路が開閉して緊急通報信号が上記緊急通報装置に送られる。更に、上記にように緊急通報装置に送られた緊急通報信号は従来と同じように、公衆回線を介して緊急センターに緊急通報を連絡するようにして、高齢者における浴槽での溺水事故や浴室で急に意識を失い転倒事故が発生した場合等に対処した緊急通報の伝達を実現した。
【実施例１】
【００１５】
以下、図面を参照しながら、更に本発明の実施例に基き本発明を詳説するものとする。
【００１６】
先ず、図１は本発明に係る緊急通報装置用タイマースイッチの本機正面図である。図示のように、緊急通報装置用タイマースイッチ１は正面がスイッチプレート状であり、浴室出入口付近の壁等に埋め込み及び備え付けるようにする。このようにすれば、極めて違和感がなく使用に供することができる。更に、図示のように、緊急通報装置用タイマースイッチ１の正面側には、スイッチ３と赤色ライト２とＬＥＤ点滅ライト４が表出している。ここで、利用者が入浴時に緊急通報装置用タイマースイッチ１のスイッチ３を入れると、後述するタイマが作動すると共に、作動中を表示する赤色ライト２及びＬＥＤ点滅ライト４が点灯する。次に、利用者が入浴後の設定時間内に前記スイッチ３を切った場合には、赤色ライト２とＬＥＤ点滅ライト４は消灯する。一方、利用者が設定時間を経過してもスイッチを切らない場合には、後述するスイッチ回路が閉じて、接続してある緊急通報装置に緊急通報信号を送信するようになる。更に、上記のように緊急通報装置に送られた緊急通報信号は公衆回線を介して、緊急センターに緊急通報が連絡されるようになる。更に、このような緊急通報が緊急センターに送信されると、当該緊急センターでは直ちに後追して通報者へ安否確認の電話をかけるようになる。そこで、この電話により真報（本当の緊急通報）と確認できた際には、救急車の手配・出動又は警備員の出動がなされ利用者の救護が行われる。
【００１７】
次に、図２は、本発明に係る緊急通報装置用タイマースイッチの回路を示した概要図である。図示のように、緊急通報装置用タイマースイッチ１の電源部は家庭用１００Ｖに連結される直流１２Ｖアダプター６によるものである。次に、スイッチ部はスイッチ３からなり、当該回路の通電のオン・オフに係るものである。続いて、ライト表示部は赤色ライト２及びＬＥＤ点滅ライト４から構成されるものであり、赤色ライト２の点灯は緊急通報装置用タイマースイッチ１が作動していることを利用者に視覚表示することを目的としている。一方、ＬＥＤ点滅ライト４の点滅は上記緊急通報装置用タイマースイッチ１の回路が正常に通電していることを外部から確認できるようにすることを目的としている。更に、タイマ部はＩＣカウンター５を使用することができる。ここで、利用者の入浴時間の設定は、ＩＣカウンター５によって予め設定することができる。続いて、緊急信号発生部はリレー７によるものであり、上記ＩＣカウンター５によって当初設定の入浴時間が経過し、リレー７が通電されると図示のリレースイッチが左に閉じ、緊急通報装置の外部モジュラーとの通電が開くようになる、このことによって緊急通報装置には緊急通報信号が送信されるようになる。一方、利用者が設定時間内にスイッチ３を切った場合は、緊急通報装置用タイマースイッチ１の通電は停止され、ＩＣカウンター５のカウントは０にリセットされるようになる。
【００１８】
更に、図３は本発明に係る緊急通報装置用タイマースイッチを含む緊急通報システムの概要を示した模式図である。図示のように、緊急通報装置用タイマースイッチ１は緊急通報装置８と接続され、更にまた、緊急通報装置８は公衆回線１０を介して、通報センター１１（通報センターのコンピュータ）と接続されている。図示において、高齢者宅９において緊急通報装置用タイマースイッチ１によって緊急通報信号が緊急通報装置８に送信されると、次に緊急通報装置８では自動的に公衆回線を介して通報センター１１に緊急通報が連絡されるようになっている。このように、通報センター１１に緊急通報が連絡されると、通報センター側では直ちに当該緊急通報先の利用者を特定し後追して安否確認の電話をかけるようになる。そこで、この電話により真報（本当の緊急通報）と通報センター１１側が確認できた際には、救急車の手配・出動又は警備員の出動がなされ高齢者宅９への救護が行われる。
【産業上の利用可能性】
【００１９】
本発明は、上記に詳述したよう構成されていることから、以下に記載されるような利用可能性が考えられる。
【００２０】
本発明に係る緊急通報装置用タイマースイッチの利用に関し、上記実施例では高齢者の入浴時の利用に基づき説明したが、その利用は入浴時に限定されるものではなく、トイレ、庭での軽作業の際等の場合にも想定され、所用の設置箇所に取り付けることにより、不慮の事故に対して迅速な救護活動を実施することができ、その利用可能性は広いと考えられる。
【図面の簡単な説明】
【００２１】
【図１】本発明に係る緊急通報装置用タイマースイッチの本機正面図。
【図２】本発明に係る緊急通報装置用タイマースイッチの回路を示した概要図。
【図３】本発明に係る緊急通報装置用タイマースイッチを含む緊急通報システムの概要を示した模式図。
【符号の説明】
【００２２】
１    緊急通報装置用タイマースイッチ
２    赤色ライト
３    スイッチ
４    ＬＥＤ点滅ライト
５    ＩＣカウンター
６    アダプター
７    リレー
８    緊急通報装置
９    高齢者宅
１０  公衆回線
１１  通報センター
【図１】
2008077130.tif 000003
【図２】
2008077130.tif 000004
【図３】
2008077130.tif 000005